(57)【要約】      （修正有）【課題】防水可能な自転車用泥除け装置を提供する。【解決手段】本体３にカバ部材５、固定部材６及び尾部７が設置されている。カバ部材５内には、発光ランプ８、反射板、または飾り部材が設置されている。カバ部材５は、固定部材６及び尾部７によって本体３に固定され、固定部材６及び尾部７が一端および他端の開口に接続されることで密閉されている。カバ部材５、および、その内側の発光ランプ８、反射板、または飾り部材は、本体３に固定されており、一体に結合され、隠す目的を達成し、且つ、照明、警告効果を有する。また、多種の組合せまたは接続が可能である。【選択図】図３
0003184835.tif 000002
【実用新案登録請求の範囲】
【請求項１】
発光ランプ、反射板、または飾り部材を収容する半透明のカバ部材、挿入口及び固定孔が形成されている固定部材、及び、車輪による泥または水のはねを抑制する尾部が本体に設置されており、
前記カバ部材は前記挿入口にはめ込まれており、
前記固定部材は、固定ねじまたはリベットが前記固定孔を貫通することにより前記本体に固定されており、前記カバ部材を固定し、
前記尾部は、接続部および泥除け部が設けられており、所定角度を有し、前記接続部に二つ以上の結合孔および突出部が形成されており、二つ以上の前記結合孔の間に配線隠し用の溝部が形成されており、鉛直方向に対して傾斜して伸びる辺縁を有し、
導電固定ねじまたは導電リベットまたは導電固定接続部材が前記結合孔を貫通することで、前記尾部、前記発光ランプの配線、および、前記本体内の導電アルミ箔が一体に固定されており、
前記カバ部材の底面に粘着層が設けられており、前記粘着層により、前記カバ部材が前記本体に固定されており、
または、前記カバ部材の底面に複数の引っかかり突起が設けられており、前記本体に前記引っかかり突起に対応する引っかかり溝が設けられており、前記引っかかり溝に前記引っかかり突起が引っかかることで前記カバ部材が前記本体に固定されており、
前記カバ部材は、前記固定部材及び前記尾部によって、前記本体に固定されており、一端および他端の開口が前記固定部材および前記尾部に接続され密閉されることで、前記発光ランプ、前記反射板、または前記飾り部材が前記本体に固定されていることを特徴とする自転車用泥除け装置。
【請求項２】
前記カバ部材は、半透明であり、光を拡散可能な材質であり、横断面の形状が、半円形、円弧形、または、多辺形であり、拡散機能および保護機能を有することを特徴とする請求項１に記載の自転車用泥除け装置。
【考案の詳細な説明】
【技術分野】
【０００１】
本考案は、自転車用泥除け装置に関する。
【背景技術】
【０００２】
特許文献１に記載の「自転車用泥除け」は、図１と図２に示したとおりであり、本体（３）および電線収納槽（４）を備える。電線収納槽（４）は、一体成型により形成されており、本体（３）の内壁（３０）に設置されている。電線収納槽（４）に電線（Ｔ）が収納されており、電線（Ｔ）が破壊されたり、大雨によって浸食されることを抑制する。また、本体（３）の強度を強化することで、電線（Ｔ）の転送により、電源（Ｅ）の電力エネルギーが速やかに照明警告装置（２）に供給し、照明警告装置（２）が明るく発光し、照明及び警告の効果を得ることができる。また、本体（３）内には、複数のアルミ箔（３１）が埋設されており、本体（３）自身の強度を強化し、本体（３）の厚みを小さくし、製造コストの削減及び加工時間を短縮することができる。
【先行技術文献】
【特許文献】
【０００３】
【特許文献１】台湾特許出願番号第０９９２１２１９３号明細書
【考案の概要】
【考案が解決しようとする課題】
【０００４】
本考案の目的は防水可能な自転車用泥除け装置を提供することにある。
【課題を解決するための手段】
【０００５】
上記課題を解決するために、本考案の自転車用泥除け装置は、発光ランプ、反射板、または飾り部材が設置された自転車用泥除け装置を提供することで、隠す目的を達成し、且つ、照明、警告効果を有し、さらに、多数の組合せや接続が可能である。
【０００６】
さらに、上記課題を解決するために、本考案の自転車用泥除け装置は、本体にカバ部材が設置されており、カバ部材に、発光ランプ、反射板、または飾り部材が収容され、カバ部材の一端および他端の開口に、固定部材および尾部が設けられている。固定部材および尾部は、カバ部材を固定する機能を有し、カバ部材の一端および他端の開口密封することで、水の浸入を抑制し、美観を高めることができる。
【０００７】
本考案の自転車用泥除け装置は、カバ部材を有することで、発光ランプ、反射板、または飾り部材を収容することができる。また、カバ部材の一端および他端の開口に、固定部材および尾部が設けられていることで、水の浸入を防ぎ、美観を高めると同時に、照明および警告の目的を達成することができる。
【図面の簡単な説明】
【０００８】
【図１】従来の自転車用泥除け装置を示す断面図である。
【図２】図１のＢ−Ｂ線断面図である。
【図３】本考案の一実施形態による自転車用泥除け装置を示す分解斜視図である。
【図４】本考案の一実施形態による自転車用泥除け装置を示す斜視図である。
【図５】本考案の一実施形態による自転車用泥除け装置を示す断面図である。
【図６】本考案の一実施形態による自転車用泥除け装置を示す断面図である。
【図７】本考案の他の実施形態による自転車用泥除け装置を示す斜視図である。
【考案を実施するための形態】
【０００９】
（一実施形態）
以下、図を参照しながら、本考案の一実施形態による自転車用泥除け装置について詳しく説明する。図３から５は、本実施形態による自転車用泥除け装置の分解斜視図、斜視図及び断面図である。図に示すように、本実施形態による自転車用泥除け装置は、本体（３）にカバ部材（５）、固定部材（６）及び尾部（７）が設置されている。カバ部材（５）内には、発光ランプ（８）、反射板、または飾り部材が設置されている。カバ部材（５）は、固定部材（６）及び尾部（７）によって本体（３）に固定され、固定部材（６）及び尾部（７）が一端および他端の開口に接続されることで密閉されている。カバ部材（５）、および、その内側の発光ランプ（８）、反射板、または飾り部材は、本体（３）に固定されており、一体に結合され、隠す目的を達成し、且つ、照明、警告効果を有する。また、多種の組合せまたは接続が可能である。
【００１０】
上述の固定部材（６）には、挿入口（６０）及び固定孔（６１）が形成されており、挿入口（６０）にカバ部材（５）が挿入されている。固定ねじ（６２）またはリベットが固定孔（６１）を貫通することで、固定部材（６）と本体（３）とが一体に固定され、防水効果を有すると同時に、カバ部材（５）を固定することができ、全体の美感を高める効果を有する。尾部（７）は、接続部（７０）と泥除け部（７１）とを有して結合し、接続部（７０）と泥除け部（７１）とは所定角度を呈する。
【００１１】
接続部（７０）は、本体の断面形状に対応する断面形状を有し、本体（３）の端部と結合する。接続部（７０）には、二個以上の結合孔（７００）及びカバ部材（５）のために設けられた突出部（７０１）が設けられている。二個の結合孔（７００）の間には溝部（７０２）が形成され、二個の結合孔（７００）は溝部（７０２）により接続されている。溝部（７０２）は発光ランプの電線（８０）を収納すると同時に電線（８０）を隠す。
【００１２】
泥除け部（７１）は、泥はねを防ぎ、水が車輪によって上方向にはねるのを抑制することができる。鉛直方向に対して傾斜して伸びる辺縁（７１０）を有することにより、二本の導電固定ねじ（７０３）または導電リベットまたは導電固定接続部材が結合孔（７００）を貫通することにより、尾部（７）、発光ランプ（８）の電線（８０）と本体（３）内の導電アルミ箔（３１）とが一体に固定される。
【００１３】
尾部（７）は、泥はねを防ぎ、水が上方向にはねることを抑制することができ、水がカバ部材（５）内に浸入することを抑制し、自転車用泥除け装置の全体の美感を高めることができる。カバ部材（５）は、光を拡散させる半透明の材料から作られ、端面の形状が、半円形、円弧形、多辺形、長方形、またはその他の形状であり、その管内には対応する形状の発光ランプ（８）、反射板、または飾り部材が設置されている。半透明の光拡散効果及び保護作用によって、発光ランプ（８）、反射板、または飾り部材の光がまぶしくない程度に拡散し、雨に濡れるのを防ぐことで、照明、警告の目的を達成し、発光ランプ（８）、反射板、または飾り部材の機能を保護する。
【００１４】
カバ部材（５）は、底面に粘着層（５０）または複数の引っかかり突起（５１）が設けられていることで、粘着層（５０）を介して本体（３）に粘着固定されるか、引っかかり突起（５１）が本体の引っかかり溝（３２）に引っかかることで本体（３）に固定される。
【００１５】
他の実施形態では、カバ部材（５）は、底面に引っかかり溝が形成され、引っかかり溝が本体の引っかかり突起に引っかかることで本体（３）に固定される。
【符号の説明】
【００１６】
３・・・本体、
４・・・電線収納槽、
３０・・・内壁、
３１・・・アルミ箔、
Ｔ、８０・・・電線、
５・・・カバ部材、
Ｅ・・・電源、
２・・・照明警告装置、
６・・・固定部材、
７・・・尾部、
８・・・発光ランプ、
６０・・・挿入口、
６１・・・固定孔、
７００・・・結合孔、
７０・・・接続部、
７１・・・泥除け部、
７０１・・・突出部、
７０２・・・溝部、
５０・・・粘着層、
５１・・・引っかかり突起、
３２・・・引っかかり溝、
７０３・・・導電固定ねじ、
６２・・・固定ねじ、
７１０・・・辺縁。
【図１】
0003184835.tif 000003
【図２】
0003184835.tif 000004
【図３】
0003184835.tif 000005
【図４】
0003184835.tif 000006
【図５】
0003184835.tif 000007
【図６】
0003184835.tif 000008
【図７】
0003184835.tif 000009